(57)【特許請求の範囲】
【請求項１】
自己検診者（３５）の胴体上部に密に装着されその前面（６ａ）が乳房（３６）に上から密に圧着する筒状の本体部（６）の前面中央上端部に首開口部（７）及びその左右両側に肩部（８）を有する自己検診用乳房支持用具であって、全体としては、メッシュ地（１）製小丈型シャツの形状をしており、展開した平面図において、本体部（６）を正面縦中央線（Ｐ−Ｐ）に沿って低伸び率材製正面縦中央帯状補強部（２）を設け、着用時乳房（３６）の直下に位置する本体部下端部（６ｅ）に沿って低伸び率材製下端帯状補強部（３）を正面縦中央帯状補強部（２）に連続させて設けた自己検診用乳房支持用具。
【請求項２】
自己検診者（３５）の胴体上部に密に装着されその前面（６ａ）が乳房（３６）に上から密に圧着する筒状の本体部（６）の前面中央上端部に首開口部（７）及びその左右両側に肩部（８）を有する自己検診用乳房支持用具であって、全体としては、メッシュ地（１）製の短袖（９）付き小丈型シャツの形状をしており、展開した平面図において、肩部（８）と首開口部（７）とを有する本体部（６）の左右両肩部（８，８）を支点として水平から斜め上の範囲に延びる短袖（９）を左右に設け、本体部（６）を正面縦中央線（Ｐ−Ｐ）に沿って低伸び率材製正面縦中央帯状補強部（２）を設け、着用時乳房（３６）の直下に位置する本体部下端部（６ｅ）に沿って低伸び率材製下端帯状補強部（３）を正面縦中央帯状補強部（２）に連続させて設け、袖口（９ａ）及び首開口部（７）周縁並びに本体部下端部（６ｅ）に沿ってヘム（Ｕ）を設け、更に少なくとも短袖（９）及び胴部（５）の左右乳房（３６，３６）に接するメッシュ地（１）を薄メッシュ地（１ａ）で構成した自己検診用乳房支持用具。
【請求項３】
自己検診者（３５）の胴体上部に密に装着されその前面（６ａ）が乳房（３６）に上から密に圧着する筒状の本体部（６）の前面中央上端部に首開口部（７）及びその左右両側に肩部（８）を有する自己検診用乳房支持用具であって、全体としては、薄メッシュ地（１ａ）製の短袖（９）付き小丈型シャツの形状をしており、展開した平面図において、肩部（８）とＶネックライン（７ａ）付首開口部（７）を有する本体部（６）の左右両肩部（８，８）からＶネックライン（７）の斜辺（Ｍ−Ｍ）の延長線上に袖山線を有する短袖（９）を左右に設け、本体部（６）を正面縦中央線（Ｐ−Ｐ）に沿って分断した左右の前面（６ａ，６ａ）の前縦縁に沿って低伸び率材製正面中央帯状補強部（２）を設け、着用時乳房（３６）の直下に位置する本体部（６）の下端部（６ｅ）に沿って低伸び率材（Ｔ）製下端帯状補強部（３）を正面縦中央帯状補強部（２）に連続させて設け、首開口部（７）に沿って低伸び率材製首縁補強帯（４）を正面縦中央帯状補強部（２）に連続させて一体に設け、袖口（９ａ）周縁及び首開口部（７）周縁並びに本体部下端部（６ｅ）に沿ってヘム（Ｕ）を設け、左右の縦中央帯状補強部（２，２）をシーム縫合わせＷ接続してなる自己検診用乳房支持用具。
【請求項４】
自己検診者（３５）の胴体上部に密に装着されその前面（６ａ）が乳房（３６）に上から密に圧着する筒状の本体部（６）の前面中央上端部に首開口部（７）及びその左右両側に肩部（８）を有する自己検診用乳房支持用具であって、全体としては、メッシュ地（１）製の短袖付き小丈型シャツの形状をしており、展開した平面図において肩部（８）と首開口部（７）とを有するところの本体部（６）の左右両肩部（８，８）を支点として水平から斜め上の範囲に延びる短袖（９）を左右に設け、本体部（６）を正背面縦中央線（Ｐ−Ｐ，Ｑ−Ｑ）に沿って分断した左右の身頃（５ｉ，５ｊ）の前後縦縁に沿ってそれぞれ左右の低伸び率材（Ｔ）製縦中央帯状補強部（２，２ｂ）を設け、着用時乳房（３６）の直下に位置する本体部下端部（６ｅ）に沿って低伸び率材製下端帯状補強部（３）を前記正背中央帯状補強部（２，２ｂ）に連続させて設け、袖口（９ａ）周縁及び首開口部（７）周縁及び前後縦縁並びに胴部下端部（６ｅ）に沿ってヘム（Ｕ）を設け、左右の正面中央縦帯状補強部（２，２）を及び背面中央縦帯状補強部（２ｂ，２ｂ）をそれぞれシーム縫合わせ（Ｗ）し、更に短袖（９）と胴部（５）の左右乳房（３６，３６）に接するメッシュ地を薄メッシュ地（１ａ）で構成し且つその他の胴部（５）を厚メッシュ地（１ｂ）で構成した自己検診用乳房支持用具。
【発明の詳細な説明】
【技術分野】
【０００１】
本発明は、乳房の異常（シコリなど）の有無を自分で触れて調べる際に、乳房を支持するために着用する自己検診用乳房支持用具に関するものである。
【背景技術】
【０００２】
乳癌は、日本も含めて世界的に近年罹患率が上昇し、死亡率も上昇している疾患である。その対策には、乳房Ｘ線撮影検査（マンモグラフィー）による定期的な検診と自己検診（自分で乳房を触れて調べる）の併用以外にはない。これにより早期の発見が可能となり、死亡率も低下させることが出来る（非特許文献１）。
【０００３】
乳癌は自分でも見付けられる癌であり、死亡率を低下させるには取り分け、自分で自宅でも行える自己検診が重要である。しかし、実際には自己検診率は２７％と低く、殆ど行われていないと言っても過言ではない。
【０００４】
自己検診をしない理由のうち圧倒的に多いのは、「自分で触れてもシコリがあるか否かよく判らない」である。いままでにも自己検診でシコリを判りやすくするための自己検診補助用品（いわゆる自己検診グッズ）は、幾つか市販もされている。それらはいずれも乳房の上に添えて、或いは載せて使用するタイプ（パットや手袋など）のもので、手指先の補助として、或いは指の皮膚接触面の摩擦を減らす道具として考えられている。これらは自己検診を不確かにする、本質的な原因を解決するものではない。
【０００５】
乳房に触れた時、シコリを判り難くする要因の一つは、触診と同時に乳房が揺れを生じるためである。乳房の動き（揺れ）は、栄養状態如何によって或いは年齢的な老化の程度によって大きく異なる。乳房組織（皮膚・乳腺・脂肪等）自体の緊張度が低下している場合には、さらに内部の動きも加わるため増強される。このように対象物（乳房）が動いている状態でその内部の変化を調べることは至難のこととなり、内部の状態が判かり難くなる。その結果は不確かであり、それが「触れても判らない」という認識となる。
【０００６】
前述した如く、シコリの感知を不確かにしている本質的な原因は、触診と同時に（触れたことで）引き起こされる対象側（乳房）の揺れにある。これを如何に防ぐかによって、シコリやその他の乳房内の変化を触知する精度は向上する。すなわち探知しやすくなる。
【０００７】
これは医療用に或いは一般教育用に開発された乳癌自己検診用乳房模型の構造とその内部に埋め込まれたシコリの良好な検出率、即ち判りやすさの由来を分析すれば自明のことである。
【先行技術文献】
【特許文献】
【０００８】
【特許文献１】実用新案登録第３１２８９０４号公報
【非特許文献】
【０００９】
【非特許文献１】乳癌  基礎・臨床のアプデート  日本臨床６５巻増刊号６，２００７．
【発明の概要】
【発明が解決しようとする課題】
【００１０】
本発明は、自己検診者の胴体上部に密に装着されその前面が乳房に上から密に圧着する筒状の本体部の前面中央上端部に首開口部及びその左右両側に肩部を有する自己検診用乳房支持用具であって、触知する手指先の感覚を邪魔しない、ごく薄いメッシュ状素材の乳房支持用具である。使用によって検査対象側（乳房）の自己検診を妨げている問題点を解決する。すなわち乳房を適度に支持固定することによって「揺れ」を減少させ、乳房内の変化、特にシコリをより触知（探知）しやすくする（シコリを発見しやすくする）ものである。この乳房支持用具はその着用により乳房を、シリコンなどで作られた乳癌自己検診用乳房模型の特性に近い状態（または構造）に持って行く効果がある。その結果、乳房内部の変化、特にシコリが触れやすくなる。
【００１１】
因みに自己検診用乳房模型は、人の乳房と類似の軟らかさと弾力を持つ均一な物質で造られており、触れても乳房全体も内部においても揺れは生じない構造である。その中に直径が１〜２．５ｃｍ位の間で大きさの異なる、周囲よりやや硬度の高いシコリを擬した球形物体が複数個埋め込まれている。この擬似シコリを、自己検診用乳房模型の皮膚面に手指先の腹を当てて垂直に押し乍ら探して行く。自己検診者の胴体上部に密に装着されその前面が乳房に上から密に圧着する筒状の本体部の前面中央上端部に首開口部及びその左右両側に肩部を有する乳房支持用具着用後のシコリの検索においても、これと全く同様の触診法が推奨される。
【００１２】
指の水平方向の動きは自己検診者の胴体上部に密に装着されその前面が乳房に上から密に圧着する筒状の本体部の前面中央上端部に首開口部及びその左右両側に肩部を有する乳房支持用具の捩れを生じたり、爪を引っ掛けてメッシュ状素材の破壊を生じる可能性もあり、該乳房支持用具を着けないときの一般的な触診法ではなく、手指は乳房上の検索部位に置いて、その場所で垂直に押す方式で乳房内の変化を検索する必要がある。この問題解決の発想は、独創的で従来のものと異なっている。また、メッシュ状素材の破壊に気を付けて自己検診をすることにより、皮膚の擦傷も防げる。
【課題を解決するための手段】
【００１３】
用語の定義：
ヘムとは、衣服等の裁ち端がほつれないように折り返して縫った縁をいう。
シームとは、衣服等の２つの布状物を縫い合わせしたときの中綴じをいう。
メッシュ地とは、伸縮性のあるメッシュ状素材のことである。
【００１４】
図面を参考にして説明する。請求項１の発明に係る自己検診用乳房支持用具１０は、自己検診者３５の胴体上部に密に装着されその前面６ａが乳房３６に上から密に圧着する筒状の本体部６の前面中央上端部に首開口部７及びその左右両側に肩部８を有する自己検診用乳房支持用具であって、全体としては、メッシュ地１製小丈型シャツの形状をしており、展開した平面図において、本体部６を正面縦中央線Ｐ−Ｐに沿って低伸び率材Ｔ製正面縦中央帯状補強部２を設け、着用時乳房３６の直下に位置する本体部下端部６ｅに沿って低伸び率材Ｔ製下端帯状補強部３を正面縦中央帯状補強部２に連続させて設けたものである。
【００１５】
請求項２の発明に係る自己検診用乳房支持用具１０は、自己検診者３５の胴体上部に密に装着されその前面６ａが乳房３６に上から密に圧着する筒状の本体部６の前面中央上端部に首開口部７及びその左右両側に肩部８を有する自己検診用乳房支持用具であって、全体としては、メッシュ地１製の短袖９付き小丈型シャツの形状をしており、展開した平面図において、肩部８と首開口部７とを有する本体部６の左右両肩部８，８を起点として水平から斜め上の範囲に延びる短袖９を左右に設け、
本体部６を正面縦中央線Ｐ−Ｐに沿って低伸び率材Ｔ製正面縦中央帯状補強部２を設け、
着用時乳房３６の直下に位置する本体部下端部６ｅに沿って低伸び率材Ｔ製下端帯状補強部３を正面縦中央帯状補強部２に連続させて設け、
袖口９ａ及び首開口部７周縁並びに本体部下端部６ｅに沿ってヘムＵを設け、
更に少なくとも短袖９及び胴部５の左右乳房３６，３６に接するメッシュ地１を薄メッシュ地１ａで構成したものである。
【００１６】
請求項３の発明に係る自己検診用乳房支持用具１０は、全体としては、薄メッシュ地１ａ製の短袖９付き小丈型シャツの形状をしており、
展開した平面図において、肩部８とＶネックライン７ａ付首開口部７を有する本体部６の左右両肩部８，８からＶネックライン７ａの斜辺Ｍ−Ｍの延長線上に袖山線を有する短袖９を左右に設け、
本体部６を正面縦中央線Ｐ−Ｐに沿って分断した左右の前面６ａ，６ａの前縦縁に沿って低伸び率材Ｔ製正面中央帯状補強部２を設け、
着用時乳房３６の直下に位置する本体部６の下端部６ｅに沿って低伸び率材Ｔ製下端帯状補強部３を正面縦中央帯状補強部２に連続させて設け、
首開口部７に沿って低伸び率材Ｔ製首縁補強帯４を正面縦中央帯状補強部２に連続させて一体に設け、
袖口９ａ周縁及び首開口部７周縁並びに本体部下端部６ｅに沿ってヘムＵを設け、
左右の縦中央帯状補強部２，２をシーム縫合わせＷ接続してなるものである。
【００１７】
請求項４の発明に係る自己検診用乳房支持用具１０は、全体としては、メッシュ地１製の短袖付き小丈型シャツの形状をしており、
展開した平面図において肩部８と首開口部７とを有するところの本体部６の左右両肩部８，８を起点として水平から斜め上の範囲に延びる短袖９を左右に設け、
本体部６を正背面縦中央線Ｐ−Ｐ，Ｑ−Ｑに沿って分断した左右の身頃５ｉ，５ｊの前後縦縁に沿ってそれぞれ左右の低伸び率材Ｔ製縦中央帯状補強部２，２ｂを設け、
着用時乳房３６の直下に位置する本体部下端部６ｅに沿って低伸び率材Ｔ製下端帯状補強部３を前記正背中央帯状補強部２，２ｂに連続させて設け、
袖口９ａ周縁及び首開口部７周縁及び前後縦縁並びに胴部下端部６ｅに沿ってヘムＵを設け、
左右の正面中央縦帯状補強部２，２及び背面中央縦帯状補強部２ｂ，２ｂをそれぞれシーム縫合わせＷ接続し、
更に胴部５の左右乳房３６，３６に接するメッシュ地を薄メッシュ地１ａで構成し且つその他の胴部５を厚メッシュ地１ｂで構成したものである。
【発明の効果】
【００１８】
請求項１に係る自己検診用乳房支持用具１０は、自己検診者３５の胴体上部に密に装着され、前面６ａが乳房３６に密に圧着する本体部６と、左右両乳房３６，３６間の凹み３７に位置する低伸び率材Ｔ製正面中央縦帯状補強部２を備え、且つ本体部６の下端部には低伸び率材Ｔ製の正面中央縦帯状補強部２を設けてある。
【００１９】
正面中央縦帯状補強部２は、装着したときにメッシュ部１が乳房３６を被う時に前胸部より水平に背面方向への力学的基点となり、乳房３６の動きを抑えることができる。これにより、指先を乳房３６に当てて、シコリなどの異常の有無を容易かつ確実に検診することができる。
【００２０】
請求項２に係る自己検診用乳房支持用具１０は、自己検診者３５の胴体上部に密に装着され、前面６ａが乳房３６に密に圧着する本体部６と、自己検診者３５の上腕に密に装着される一対の短袖９を備えると共に左右両乳房３６，３６間の凹み３７に位置する低伸び率材Ｔ製正面中央縦帯状補強部２を備える。正面中央縦帯状補強部２は、装着したときにメッシュ部１が乳房３６を被う時に前胸部より水平に背面方向並びに同側肩方向への力学的基点となり、乳房３６の動きを抑えることができる。これにより、指先を乳房３６に当てて、シコリなどの異常の有無を容易かつ確実に検診することができる。
【００２１】
両肩部８，８は左右乳房３６，３６の力学的支点として、伸縮性のあるメッシュ状素材によって形成された当該自己検診用乳房支持用具１０の形状を安定的に維持することができる。
【００２２】
また、一対の短袖９，９の先端部にヘムＵ付袖口９ａを設けているので、伸縮性のあるメッシュ状素材によって形成された当該自己検診用乳房支持用具１０の形状を安定的に維持することができる。
【００２３】
請求項３の発明は、乳房が小から中サイズの人に好適である。
【００２４】
請求項４の発明は、乳房が大から特大サイズの人に好適である。
【図面の簡単な説明】
【００２５】
【図１】支持用具を展開した状態における本発明の第１実施形態の正面図である。
【図２】図１の背面図である。
【図３】支持用具を展開した状態における本発明の第２実施形態の正面図である。
【図４】図３の背面図である。
【図５】本発明に係る自己検診用乳房支持用具の第３実施形態を示す正面斜視図である。
【図６】図５に示す乳房支持用具の装着初期工程を示す全体の正面図である。
【図７】図６の次の工程を示す同上図である。
【図８】図７の装着後の本体部を被った後の状態を示す。
【図９】乳房支持用具を装着した状態の説明用正面図である。
【図１０】図９のＺ−Ｚ水平断面説明用概略図である。
【図１１】メッシュ地を使ってヘム，帯状補強部及びシーム縫い合わせを形成するときの原理的第１工程図である。
【図１２】同上の第２工程図である。
【図１３】同上の第３工程図である。
【図１４】同上の第４工程図である。
【図１５】ヘムを作るときの同上の第５工程図である。
【図１６】帯状補強部を作るときの同上の第５工程図である。
【図１７】同上の第６工程図である。
【図１８】帯状補強部をそれぞれ備えた左身頃及び右身頃を結合するときの第７工程図である。
【図１９】図１８の二つの帯状補強部をシーム縫い合わせしたときの第８工程図である。
【発明を実施するための形態】
【００２６】
本発明の第１の実施形態の自己検診用乳房支持用具１０は、自己検診者３５の胴体上部に密に装着されその前面６ａが乳房３６に上から密に圧着する筒状の本体部６の前面中央上端部に首開口部７及びその左右両側に肩部８を有する自己検診用乳房支持用具であって、自己検診によって乳房３６の異常の有無を調べる際に着用するものであり、伸縮性のある極薄メッシュ地１ａによって正面略Ｙ字状に形成されたものであって、自己検診者３５の少なくとも胴体上部に密に装着し、前面６ａが乳房３６に密に圧着する筒状で、両側Ｖネックライン７ａの首開口部７及び左右両側に肩部８を有する筒状の本体部６と、前記本体部６の左右上端部の、Ｖネックライン７ａの斜辺Ｍ−Ｍに沿って袖山線が連設され且つ前記自己検診者３５の上腕上部に密に装着される一対の筒状の短袖９とを備える。
【００２７】
また、前記本体部６の下端部６ｅに接して幅２〜３ｃｍの厚織メッシュ状下端帯状補強部３を設け、ヘム加工Ｕする首開口部７にメッシュ地製首縁帯状補強部４を設けると共に該首縁帯状補強部４を正面中央縦帯状補強部２に連続させ、一対の短袖９の先端部に幅狭ヘム状袖口部９ａを設け、更に前記本体部６の前面の左右の前面６ａの厚織メッシュ地１ｂの前縦縁を縫合わせシームＷで縫い合わせて縦帯部を設け、シーム縫いの縦帯部に連続してメッシュ地製帯状部材６ｇが位置した正面中央縦帯状補強部２とすることができる。本体部６の下端部を厚織メッシュ地製の下端帯状補強部３とし（下方への）引下げの手がかりを補強するよう設計した。
【００２８】
第１の実施の形態に係る自己検診用乳房支持用具１０は、伸縮性のある薄メッシュ素材で形成され、自己検診者３５の胴体上部に密に装着され、前面６ａが乳房３６に密に圧着する筒状の本体部６と、自己検診者の上腕に密に装着される一対の短袖９を備えると共に左右両乳房３６，３６間の凹み３７に位置する左右縫い合わせによる縦帯状補強部２を備える。縦帯状補強部２は、装着したときにメッシュ地１が乳房３６を被う時に前胸部より水平に背面方向並びに同側肩方向への力学的基点となり、乳房３６の動きを抑えることができる。これにより、指先を乳房３６に当てて、シコリなどの異常の有無を容易かつ確実に検診することができる。
【００２９】
また、本体部６の下端部に幅狭ヘム状下縁部を持つ厚織メッシュ下縁部による下端帯状補強部３を設け、首開口部７では幅狭ヘム状部を持つ幅広厚織メッシュ部からなる首縁部ヘム処理帯状補強部４を設け、一対の短袖９，９の先端部に幅狭ヘム状袖口部９ａを設けたので、伸縮性のある極薄メッシュ状素材によって形成された当該自己検診用乳房支持用具１０の形状を安定的に維持することができる。
【００３０】
本発明に係る自己検診用乳房支持用具１０の第２の実施形態を説明する。自己検診者３５の胴体上部に密に装着されその前面６ａが乳房３６に上から密に圧着する筒状の本体部６の前面中央上端部に首開口部７及びその左右両側に肩部８を有する自己検診用乳房支持用具であって、４０は胸骨、４１は背骨、４２は肋骨、４３は肋軟骨である。これは、自己検診によって乳房３６の異常（シコリなど）の有無を調べる際に着用するものであり、全体が伸縮性のある極薄メッシュ状素材によって正面略Ｙ字状に形成されている。極薄メッシュ状素材としては特に限定されるものではないが、例えば、一般的なパンティストッキングと同一の素材（ナイロンとポリウレタンの混合など）それらは皮膚を刺激しない素材であることも、伸縮性を持たせ得ることも実証済みなので、好適である。
【００３１】
本実施形態に係る自己検診用乳房支持用具１０は、本体部６と一対の短袖９，９を備える。本体部６は、自己検診者３５の胴体上部に密に装着され、その前面６ａが乳房３６に上から密に圧着する筒状であり、その前面中央上端部にＶネックライン７ａの首開口部７及びその左右両側に肩部８を有する。首開口部７には、自己検診者３５の首部分が位置する。なお、本体部５は自己検診者３５の少なくとも胴体上部（乳房３６が位置する部分）を覆うことができる長さであれば良いが、肩方向へのメッシュ地１による牽引力を安定させるため、それより長めに設定する方がよい。
【００３２】
一対の短袖９，９の袖山線は、本体部６の左右上端部にＶネックライン７ａの頂点部の延長線Ｍ−Ｍに沿わせて連設され、自己検診者の上腕部に密に装着される。短袖９は、腕方向への牽引力の発生を防ぐため上腕部の１／３程度を覆う長さにとどめるのが好ましい。
【００３３】
また、本実施形態では、本体部６の下端部と、首開口部７と、一対の短袖９の各先端部に縁折返し加工を施したヘムＵを設けている。また、本体部６の前面６ａの正面縦中央線Ｐ−Ｐに縫い合わせ加工を施した太い線状の正面中央縦帯状補強部２を設けている。
【００３４】
薄メッシュ地製の本体部６は正面縦中央線Ｐ−Ｐを挟んだ左右に分かれ、左右の前身頃の縦端縁を形成している。首開口部７にはＶネックライン７ａが設けられ、Ｖネックライン７ａの頂点部の延長線Ｍ−Ｍに沿って袖山９ｂが設けられている。
【００３５】
本体部６の前面６ａ上部のメッシュ地１は薄メッシュ地１ａとして伸縮性の向上が計られている。本体部６の下縁のメッシュ地１は、下縁帯状補強部３として、メッシュ地が厚くしてある。
【００３６】
正面縦中央線Ｐ−Ｐの左右のメッシュ地は、厚織メッシュ地１ｂとなっている。厚織メッシュ地１ｂを含む本体部６の端縁即ち首開口部７，左右の身頃の縦縁６ｃ及び本体下端部６ｅはヘムＵとなっている。また袖口９ａもヘムＵとなっている。そして左右前身頃の前端縁はシーム縫合わせ部Ｗになっている。
【００３７】
また、必要に応じ、本体部６の背面を背面中央線Ｑ−Ｑによって左右の後身頃に分離し、左右の後身頃の垂直端縁にそれぞれヘムＵ加工した垂直ヘム部縁を形成し、左右のヘム部縁は垂直シーム縫合わせＷによって接続されてもよい。
【００３８】
着用順序の説明：
（イ）両手を通す（袖を通す）。
（ロ）首開口部７に頭を入れて首を通す（図６）。
（ハ）先ず、腕，肩，上半身上部まで自己検診者の胴体上部に密に装着されその前面が乳房に上から密に圧着する筒状の本体部の前面中央上端部に首開口部及びその左右両側に肩部を有する乳房支持用具１０で被う（図７）。
（ニ）前記乳房支持用具１０の下端６ｅを持って下方に下げ乍ら乳房３６に被せ、上半身全体を被う（即ち着用）。その時、正面縦中央線Ｐ−Ｐに沿う正面中央縦帯状補強部２が左右の乳房３６，３６の中央を上から下まで垂直に下りて、正しく着用が終了する（図８）。
（ホ）着用後、乳房３６が重力で下がろうとしても、その移動は乳房支持用具１０の構造上の特徴であるＹ字型の短袖の付け方により防がれる。また、このとき正面中央縦帯状補強部２も重要な働きをする。即ち図９の如く、正面中央縦帯状補強部２より肩方向へ薄メッシュの繊維を介して挙上する牽引力が働き続ける。この効果は、メッシュ状素材が皮膚に密着しているためである。
【００３９】
この状態で、乳房３６は本体部６の前面に密に圧着されているので、本体部６と共に持ち上げられた状態を維持する（図９）。これにより乳房３６の全体を指先で触れることができるので、自己検診によってシコリなどの異常の有無を容易かつ確実に調べることができる。
【００４０】
「シコリ」を探すには親指以外の４本の指をそろえ、指先を少しずつずらしながら乳房全体を押し撫でるようにする。上は鎖骨のすぐ下まで、内側は肋骨の中心線まで、外側は腋の下まで、下は乳房支持用具１０の下縁まで、くまなく乳房全体を調べることが大切である。
【００４１】
なお、こうした状態にある乳房３６は圧着されているので、他の姿勢に動かしても、その状態を維持することができる。従って、乳房３６のあらゆる部分を容易かつ確実に検診することができる。
【００４２】
本実施形態に係る自己検診用乳房支持用具１０は、伸縮性のある極薄メッシュ素材で形成され、自己検診者３５の胴体上部に密に装着されると共に、前面６ａが乳房３６に密に圧着する筒状の胴部５と、自己検診者の腕に密に装着される一対の短袖９とを備えるので、乳房３６を外部から圧迫し均等に保持するので、乳房３６の動きを抑制することができる。従って、指先を乳房３６に当てても、当該乳房３６は殆ど動かないので、シコリなどの異常の有無を容易に調べることができる。
【００４３】
また、この自己検診用乳房支持用具１０は、本体部６の下端部６ｅと、首開口部７と、一対の短袖９の先端部とにヘム加工を施したヘム部と正面中央縦帯状補強部２を設けているので、伸縮性のある極薄メッシュ状素材によって形成されて柔軟な当該自己検診用乳房支持用具１０の形状を安定させることができる。従って、装着が容易であるなど、その取り扱いが容易となる。
【００４４】
なお、自己検診用乳房支持用具１０に、本体部６に目印部１１或いはタグ１２を設けているので、前後を間違えることなく容易かつ迅速に装着することができる。
【００４５】
また、この発明に係る自己検診用乳房支持用具は、乳房３６の乳首３８を通る胸囲により乳房支持用具１０のサイズを幾通りか変える必要がある。その人に最も適するサイズが選べる必要がある。乳房が大きい（巨大乳房の人のために）時は後ろ側６ｂにも背面縦中央補強部２ｂが必要となり、後ろ側６ｂを被う部分も伸縮性を持つメッシュ状厚織素材の方がよい。図９，図１０に示す如く、着用したあと乳房支持用具の下端部６ｅを下に引っ張り充分に伸ばした上で、正面縦中央線Ｐ−Ｐを乳房間中央に合わせ、下縁より手を入れて乳房支持用具を正しく装着するために乳房に馴染むよう均等に拡げる必要がある。素材の特性により、ベストサイズでは装着により動きのない乳房自己検診用模型に近い乳房構造になる。
【００４６】
また、乳頭の突出が大の人では、直径４〜５ｃｍの縁付帽子状（円錐状）繊維製乳首カバーを、本体部前面６ａと乳房Ｂとの間に指で押込んで、乳首３８に被せるようにすれば、一定時間の（着用中）自己検診中の乳房３６の圧迫による（メッシュによる）乳頭の刺激感や摩擦（こすれ）を防止出来る。
【００４７】
乳房サイズの表示は、ブラジャーにおいて一般的にＡ，Ｂ，Ｃ，Ｄ，Ｅ，Ｆ，Ｆ以上が使われている。基本の形態は、乳房サイズに従って乳房を固定させるために形態の変化が必要となる。その際、Ａ，Ｂ，Ｃまでは基本形態でよいが、それ以上のサイズでは、背面全体と肩から前面乳房上部および腋をつなぐ部分を伸縮性を持たせた厚織りメッシュ部分にする必要がある。袖（腕上部を覆う部分）は極薄メッシュの方が締まり過ぎを防げる（図３，図４）。
【００４８】
実際には乳房部分以外を厚織りメッシュとしたＶネックのＴシャツ形態となる。乳房サイズの対応には、上記厚織りメッシュ部分の追加の他に、正面縦中央線に沿って縫いひだの挿入をすることがある。そして背面に支持力アップのため縫い合わせ加工による背面中央縦シームを背中のネック下端より入れる。その下端部に前後を明確にするための、「後ろ」等のタグ１２を付けることもある。従ってこの形態変化の必要性を含めて、基本形態共に縫い合わせ加工によるシームを前面後面共に入れることもある。
【００４９】
薄メッシュ地１ａや厚メッシュ地１ｂを含むところのメッシュ地１のみによって構成可能な帯状補強部２，２ｂ，３，４の変形実施例について説明する。図１１〜図１９は、いずれもメッシュ地１を直交面で切断した断面図である。
【００５０】
図１１の平坦なメッシュ地１を、図１２の如く端からＬａ＝１〜２ｃｍの所で折曲げて重ね、折曲げ縁Ｈａに加熱による癖付けをし、図１３の如く折曲げ縁ＨａからＬｂ＝０．１〜０．２ｍｍの箇所に第１回目の縫い付けを行い、図１４に示す如く余分な余り代Ｋを切り除き、図１５に示す如く縁取り幅Ｌｂを保って更に折曲げ、第１回目の縫い付けＧａに重ねて第２回目の縫い付けＧｂを行うと縁取り幅ＬｂのヘムＵが出来る。
【００５１】
図１４の状態から所望の縁取り幅Ｌｃを保って図１６に示す如く折曲げ、第１回目の縫い付けＧａに重ねて図１７に示す如く第２回目の縫い付けＧｂを行うと図１７に示す如く大きな縁取り幅Ｌｃの帯状補強部２，２ｂ，３，４が形成される。
【００５２】
また、図１７の大きな縁取り幅Ｌｃで、必要に応じ折返し縁Ｈｂの内壁溝底に断面略円形の丸紐Ｈｃを装入配置し、二つの帯状部を両折曲げ縁Ｈａが外側になるようにして図１８に示す如く二つ重ね、折返し縁Ｈｂ近くをシーム縫い合わせＧｃしてから左右の身頃５ｉ，５ｊ部のメッシュ地１，１を拡げると、縦中央線Ｐ−Ｐ，Ｑ−Ｑに沿って中央帯状補強部２，２ｂが形成される。そして折返し縁Ｈｂ側が検診者３５側となり、その反対側が外側になる。そして必要に応じ、補強部のシーム縫い合わせＧｃの外側に帯状部材６ｇを配置する。
【符号の説明】
【００５３】
１      メッシュ地
１ａ    薄メッシュ地
１ｂ    厚メッシュ地
２      縦中央帯状補強部
２ｂ    背面中央縦帯状補強部
３      下端帯状補強部
４      首縁帯状補強部
５      胴部
５ｉ    右身頃
５ｊ    左身頃
６      本体部
６ａ    前面
６ｂ    後面
６ｃ    縦縁
６ｅ    下端部
６ｇ    帯状部材
７      首開口部
７ａ    Ｖネックライン
８      肩部
９      短袖
９ａ    袖口
９ｂ    袖山
１０    乳房支持用具
１１    目印部（前）
１２    タグ（後）
３５      検診者
３６      乳房
３７      凹み
３８      乳首
４０      胸骨
４１      背骨
４２      肋骨
４３      肋軟骨
Ｈａ      折曲げ縁
Ｈｂ      折返し縁
Ｈｃ      丸紐
Ｇａ      第１回目の縫い付け
Ｇｂ      第２回目の縫い付け
Ｇｃ      シーム縫い合わせ
Ｋ        余分な余り代
Ｌａ      折曲げ幅
Ｌｂ      縁取り幅
Ｌｃ      縁取り幅
Ｍ−Ｍ    Ｖネックライン線
Ｐ−Ｐ    正面縦中央線
Ｑ−Ｑ    背面縦中央線
Ｔ        低延び率材
Ｕ        ヘム
Ｗ        シーム縫合わせ
【図１】
0005605857.tif 000002
【図２】
0005605857.tif 000003
【図３】
0005605857.tif 000004
【図４】
0005605857.tif 000005
【図５】
0005605857.tif 000006
【図６】
0005605857.tif 000007
【図７】
0005605857.tif 000008
【図８】
0005605857.tif 000009
【図９】
0005605857.tif 000010
【図１０】
0005605857.tif 000011
【図１１】
0005605857.tif 000012
【図１２】
0005605857.tif 000013
【図１３】
0005605857.tif 000014
【図１４】
0005605857.tif 000015
【図１５】
0005605857.tif 000016
【図１６】
0005605857.tif 000017
【図１７】
0005605857.tif 000018
【図１８】
0005605857.tif 000019
【図１９】
0005605857.tif 000020